(57)【要約】【課題】  ランプ寿命の向上及びＣＣＤのカラーフィルタの保護を目的とする。【解決手段】  ランプとＣＣＤの光軸上に設けられたシャッターの開閉タイミングに関するもの。シャッター開閉時に必要な輝度と安定した輝度が保持できるようにランプを消さずにコントロールする。【選択図】        図５
2006303790.tif 000002
【特許請求の範囲】
【請求項１】
可視ランプ手段と赤外ランプ手段と可視画像取得手段と赤外画像取得手段と画像処理手段とホストコンピュータ通信手段と可視ランプ輝度可変手段と赤外ランプ輝度可変手段と光軸上に設けられたシャッター開閉手段とタイマー手段とフィルム検知手段によって構成されることを特徴とするフィルムスキャナー。
【請求項２】
前記ホストコンピュータ通信手段の通信が可能なとき前記シャッター開閉手段を開くことを特徴とする請求項１記載のフィルムスキャナー。
【請求項３】
前記可視ランプ手段の点灯後、前記タイマー手段において所定時間の計時後、前記シャッター開閉手段を開くこと請求項１記載のフィルムスキャナー。
【請求項４】
前記シャッター開閉手段が閉じている時、前記可視ランプ輝度可変手段によって前記可視ランプ手段の輝度を下げることを特徴とする請求項１記載のフィルムスキャナー。
【請求項５】
前記可視ランプ手段が点灯しているとき、前記シャッター開閉手段を開いても前記可視ランプ手段の点灯が確認されないとき前記シャッター開閉手段を閉じることを特徴とする請求項１記載のフィルムスキャナー。
【請求項６】
前記赤外ランプ手段が点灯しているとき、前記シャッター開閉手段を開いても前記赤外ランプ手段の点灯が確認されないとき、前記シャッター開閉手段を閉じることを特徴とする請求項１記載のフィルムスキャナー。
【発明の詳細な説明】
【技術分野】
【０００１】
本発明は可視ランプ手段と赤外ランプ手段と可視画像取得手段と赤外画像取得手段と画像処理手段及びホストコンピュータ通信手段によって構成される、フィルムの画像を読み取るフィルムスキャナーに関するものである。
【背景技術】
【０００２】
従来、フィルムスキャナーにおける読み取り方法及び光軸上に構成されたシャッターの開閉については、可視光照射手段から照射された可視光をフィルムに当て、レンズ手段によって画像をＣＣＤの大きさに拡大または縮小して、ＣＣＤ手段によって読み取り可視画像としてインターフェース手段によってコンピュータへ取り込み、コンピュータ内の記憶手段に保存する。同じ画像を赤外光照射手段から照射された赤外光をフィルムに当て、レンズ手段によって画像をＣＣＤの大きさに拡大または縮小して、ＣＣＤ手段によって読み取り赤外画像としてインターフェース手段によってコンピュータへ取り込み、コンピュータ内の記憶手段に保存する。
【０００３】
上記構成のフィルムスキャナーにおいて光軸上のシャッターについてはフィルムの保護を目的とするものが一般的であり、所定の時間経過してもフィルムが読み取り処理に入れない場合、フィルムの焼きつき防止としてシャッターを閉じるように構成されていた（例えば、特許文献１参照。）。
【特許文献１】特開２００３−３４４９５９号公報
【発明の開示】
【発明が解決しようとする課題】
【０００４】
しかしながら、上記従来例ではフィルムの保護が目的であるため、フィルムの無い状態でも可視光照射手段から照射され続けるため、ＣＣＤのカラーフィルタが変質して、画像に影響を与えてしまう問題点や、ランプの寿命を縮めてしまう問題点があった。
【０００５】
本発明は、以上の点に着目して成されたもので、ランプ寿命の向上及びＣＣＤのカラーフィルタの保護を目的とするフィルムスキャナーを提供する。
【課題を解決するための手段】
【０００６】
この発明は下記の構成を備えることにより上記課題を解決できるものである。
【０００７】
可視ランプ手段と赤外ランプ手段と可視画像取得手段と赤外画像取得手段と画像処理手段とホストコンピュータ通信手段と可視ランプ輝度可変手段と赤外ランプ輝度可変手段と光軸上に設けられたシャッター開閉手段とタイマー手段とフィルム検知手段によって構成され、前記ホストコンピュータ通信手段の通信が可能なとき前記シャッター開閉手段を開く、前記可視ランプ手段の点灯後、前記タイマー手段において所定時間の計時後、前記シャッター開閉手段を開く、前記シャッター開閉手段が閉じている時、前記可視ランプ輝度可変手段によって前記可視ランプ手段の輝度を下げる、前記可視ランプ手段が点灯しているとき、前記シャッター開閉手段を開いても前記可視ランプ手段の点灯が確認されないとき前記シャッター開閉手段を閉じる、前記赤外ランプ手段が点灯しているとき、前記シャッター開閉手段を開いても前記赤外ランプ手段の点灯が確認されないとき前記シャッター開閉手段を閉じる手段によって構成されるものである。
【発明の効果】
【０００８】
本発明によれば、可視ランプ手段と赤外ランプ手段と可視画像取得手段と赤外画像取得手段と画像処理手段とホストコンピュータ通信手段と可視ランプ輝度可変手段と赤外ランプ輝度可変手段と光軸上に設けられたシャッター開閉手段とタイマー手段とフィルム検知手段によって構成され、前記ホストコンピュータ通信手段の通信が可能なとき前記シャッター開閉手段を開く、前記可視ランプ手段の点灯後、前記タイマー手段において所定時間の計時後、前記シャッター開閉手段を開く、前記シャッター開閉手段が閉じている時、前記可視ランプ輝度可変手段によって前記可視ランプ手段の輝度を下げる、前記可視ランプ手段が点灯しているとき、前記シャッター開閉手段を開いても前記可視ランプ手段の点灯が確認されないとき前記シャッター開閉手段を閉じる、前記赤外ランプ手段が点灯しているとき、前記シャッター開閉手段を開いても前記赤外ランプ手段の点灯が確認されないとき前記シャッター開閉手段を閉じる手段によって構成される手段によって、ＣＣＤのカラーフィルタの保護とランプ寿命の向上を目指したフィルムスキャナーを提供するものである。
【発明を実施するための最良の形態】
【０００９】
以下、本発明の実施例を図１〜図３に基づき説明する。
【実施例】
【００１０】
図１は本発明の特徴であるところの、フィルムスキャナーの内部の構成とホストコンピュータに関係を簡単に示した図である。１はフィルムスキャナー、２は画像のデジタル処理をするところのメインボード、３は画像のゴミキズ除去をおこなうところのゴミキズ除去ボード、４は光源であるところのハロゲンランプ、５はフィルムスキャナー１に読み込まれるところのフィルム、６はフィルムの拡大を行うところのレンズ、７は画像を読み取るところのＣＣＤとそのデータをデジタルに変換するところのＣＣＤボード、８はメインボード２とゴミキズ除去ボード３を接続するところのメインボード側のコネクタ、９はメインボード２とゴミキズ除去ボード３を接続するところのゴミキズ除去ボード側のコネクタ、１０はメインボード２とゴミキズ除去ボード３、ＣＣＤボード７に電源供給を行うところの電源ユニット、１１は電源ユニット１０のＡＣ入力であるところのＡＣケーブル、１２は赤外線を照射する光源であるところの赤外ＬＥＤ、１３はモータ、１４はモータ１３によってフィルムの搬送を行うところの搬送ローラー、１５はデータの処理及び記憶を行うところのホストコンピュータ、１６はホストコンピュータ１５とフィルムスキャナー１との間でデータ通信を行うインターフェースであるところのＵＳＢケーブル、１７は光軸上にあり光を遮断するところのシャッターである。
【００１１】
上記構成において、ＡＣケーブル１１が接続され電源ユニット１０から電源が投入されると機器内部は初期化状態になる。初期化処理の中でハロゲンランプ４が点灯され、所定時間の経過後にシャッター１７が開く。
【００１２】
初期化処理が終了しスタンバイ状態になるとフィルム５の挿入待ちとなる。
【００１３】
フィルム５が挿入されるとモータ１３が駆動する搬送ローラー１４が回り、所定の位置までフィルムを搬送する。ハロゲンランプ４によって、可視光がフィルム５に照射され、レンズ６を通してＣＣＤボード７にフィルム５の画像が取り込まれる。ＣＣＤボード７においては図示しないＡＤコンバータによって可視画像データはデジタル化され、デジタル処理を行うためメインボード２に渡される。ここで可視画像データはいったんメインボード２に保存される。
【００１４】
次に、赤外線によりゴミキズの検出のため、赤外ＬＥＤ１２によって、赤外光がフィルム５に照射され、レンズ６を通してＣＣＤボード７にフィルム５の赤外画像が取り込まれる。ＣＣＤボード７においては図示しないＡＤコンバータによって赤外画像データはデジタル化され、デジタル処理を行うためメインボード２に渡される。
【００１５】
メインボードに保存された可視画像データと赤外画像データはメインボード内のＣＰＵによって、脱着可能であるところのゴミキズ除去ボード３が接続されているかを検出して、ゴミキズ除去ボード３が接続されている場合、可視画像データと赤外画像データは図示しないスイッチによってゴミキズ除去ボード３に送られ、可視画像データ上のゴミキズを画像処理によって除去し、再びゴミキズ除去ボード３からメインボード２に戻される。その後、メインボード２のインターフェースであるところのＵＳＢからＵＳＢケーブル１６を通して、ホストコンピュータ１５へ送信される。
【００１６】
また、ゴミキズ除去ボード３が接続されていない場合、可視画像データと赤外画像データは、メインボード２のインターフェースであるところのＵＳＢからＵＳＢケーブル１６を通して、ホストコンピュータ１５へ送信される。
【００１７】
メインボード２の処理の詳細ついては図２を用いて後ほど説明する。
【００１８】
図２はメインボード２の制御用ＡＳＩＣの処理について説明したブロック図に関するものであり、２０は制御用ＡＳＩＣ、２１はモータドライブ回路、２２はタイマー、２３はランプ電圧制御回路、２４はモータコントローラである。
【００１９】
上記構成において、制御用ＡＳＩＣ２０はタイマー２２、ランプ電圧制御回路２３、モータコントローラ２４によって構成され、ランプ電圧制御回路２３はハロゲンランプ４及び赤外ＬＥＤ１２の輝度の調整を行う。モータコントローラ２４はモータドライブ回路に接続されモータ１３の制御を行う。シャッター１７は制御用ＡＳＩＣ２０のＩＯ制御ポート２５に接続され、開閉の制御を行う。
【００２０】
図３はメインボード２の画像処理について説明したブロック図であり、３０は可視画像データをＣＣＤボード７から受け取るところのコネクタ、３１は赤外画像データをＣＣＤボード７から受け取るところのコネクタ、３２は光源及びＣＣＤ画素のバラツキを補正するための可視シェーディング用ＳＲＡＭ、３３はＣＣＤの色のタイミングを補正する色合わせ用ＳＲＡＭ、３４はネガフィルムを変換するためのガンマテーブル用ＳＲＡＭ、３５は画像処理のための画像用ＡＳＩＣ、３６はゴミキズ除去ボードの中のゴミキズ除去制御ユニット、３７は可視画像データ及び赤外画像データを記憶するところのＳＤＲＡＭ、３８はホストコンピュータとのインターフェースであるところのＵＳＢのデータをコントロールするところのＵＳＢコントローラ、３９は図１のＵＳＢケーブル１６を接続するところのコネクタ、４０はＣＰＵ４２のワークエリアであるところのワーク用ＳＲＡＭ、４１はＣＰＵの命令コード及び固定データを持つところのＲＯＭ、４２はシステムの制御を行うところのＣＰＵ、４４は光源及びＣＣＤ画素のバラツキを補正するための赤外シェーディング用ＳＲＡＭである。
【００２１】
上記構成において、ＣＰＵ４２はＲＯＭ２１のプログラムによって動作し、ＳＲＡＭ４０、ＵＳＢコントローラ３８、制御用ＡＳＩＣ２０、画像用ＡＳＩＣ３５等の初期化処理を行い、機器が動作可能となる処理をしてスタンバイ状態となる。初期化処理においてＣＰＵ４２はＵＳＢコントローラ４２を通してホストコンピュータ１５と通信を行いデータ送受が可能かを判断して、ホストコンピュータ１５とデータ送受が可能な場合には次の処理に進み、不可能な場合には初期化失敗とする。また、ＣＰＵ４２はシャッター１７を開け、ハロゲンランプ４を点灯させ、ＣＣＤボード７を通してハロゲンランプ４の点灯を確認し、ハロゲンランプ４の点灯が確認されない場合、初期化失敗とする。また、赤外ＬＥＤ１２に関して同様の点灯チェックを行い、初期化に失敗した場合、光軸上のシャッター１７を閉じ、図示しないエラー表示ＬＥＤを点滅させる。
【００２２】
ＣＣＤボード７から可視画像データはコネクタ３０を通して画像用ＡＳＩＣ３５に入力される。画像用ＡＳＩＣ３５は始めに可視画像データに対してシェーディングを行う。シェーディングは可視シェーディング用ＳＲＡＭ３２にフィルムの無い状態であらかじめ記憶された所定の値を画素に対して演算することによって行われる。つぎに色合わせはＣＣＤのラインセンサー位置の違いによる色ずれを補正するもので、可視画像データを色合わせ用ＳＲＡＭに一時的に保管して、色順を変換するものである。ガンマ変換はフィルムの濃度から演算したテーブルをガンマテーブル用ＳＲＡＭにあらかじめロードして、テーブルに基づいて色の変換をすることによってネガフィルムの色を再現するように構成している。
【００２３】
ＣＣＤボード７から赤外画像データはコネクタ３１を通して画像用ＡＳＩＣ３５に入力される。画像用ＡＳＩＣ３５は始めに赤外画像データに対してシェーディングを行う。シェーディングは赤外シェーディング用ＳＲＡＭ３２にフィルムの無い状態であらかじめ記憶された所定の値を画素に対して演算することによって行われる。
【００２４】
ＣＰＵ４２はＲＯＭ４０とワーク用ＳＲＡＭによってプログラム実行しＡＳＩＣ３５およびＵＳＢコントローラ３８の制御を行う。ゴミキズ除去制御ユニット３６においては赤外画像データにもとづいて、可視画像データに補間処理を行い修正された可視画像データを出力する。出力された可視画像データはＳＤＲＡＭ３７に保管される。ＳＤＲＡＭ３７に保管されたデータは図示しないＣＰＵ４２のＤＭＡによってＵＳＢコントローラ３８へ送られ、ＵＳＢコネクタ３９を介してホストコンピュータに送信される。転送が終了するとシャッター１７は閉じられ、ハロゲンランプ４を減光するとともにフィルム５は搬送ローラーによって排出される。
【００２５】
図４はＣＰＵ４２の内部の処理を示すフローチャートである。
【００２６】
同図において、Ｓ１０１において初期化処理であるところの画像用ＡＳＩＣ３５およびＵＳＢコントローラ３８等、デバイスのイニシャル処理を行う。Ｓ１０２においてフィルムの挿入を待ち、フィルムが挿入されるとＳ１０３に進み画像読み取り位置までモータ１３及び搬送ローラー２４でフィルムを搬送する。Ｓ１０４ではフィルムを読み取るための準備として、ハロゲンランプ４の輝度を所定のレベルに上げ、シャッター１７を開く。Ｓ１０５において、可視画像をＣＣＤから読み込み、Ｓ１０６では画像用ＡＳＩＣ３５においてシェーディング、色合わせ等の画像処理をおこなう。
【００２７】
次に赤外線による画像を取得するため、Ｓ１０７では赤外画像を読み取るための赤外ＬＥＤ１２を点灯を行う。Ｓ１０８において赤外画像を取得し、Ｓ１０９において、画像用ＡＳＩＣ３５でシェーディング、倍率変換等の画像処理を行う。
【００２８】
Ｓ１１０において、ゴミキズ除去ボードがあるかどうか判定して、無い場合Ｓ１１１において画像用ＡＳＩＣ３５の内部のスイッチをインターフェース側へ切り替え、Ｓ１１４で画像データをホストコンピュータ１５へ出力する。またＳ１１０において、ゴミキズ除去ボードがある場合、Ｓ１１２で内部のスイッチをゴミキズ除去ボード側に切り替え、Ｓ１１３でゴミキズ除去ボード３６においてゴミキズの除去を行った後、Ｓ１１４で画像データをホストコンピュータ１５へ出力する。Ｓ１１５においてフィルム５を排出するとともに、シャッター１７を閉じ、ハロゲンランプ４を減光して待機状態となる。
【００２９】
図５は初期化処理のフローチャートである。
【００３０】
同図において、Ｓ２０１ではワークメモリであるところのＳＲＡＭ４０の初期化を行い、Ｓ２０２ではデバイスのイニシャルであるところのＵＳＢコントローラ３８、制御用ＡＳＩＣ２０、画像用ＡＳＩＣ２０、タイマー２２、ランプ電圧制御回路２３、モータコントローラ２４等の初期化処理を行う。Ｓ２０３ではランプ４を点灯する。Ｓ２０４において、ＣＰＵ４２はＵＳＢコントローラ３８を通してホストコンピュータ１５と通信を行いデータ送受が可能かを判断して、ホストコンピュータ１５とデータ送受が可能な場合には次の処理に進み、不可能な場合には初期化失敗とする。Ｓ２０６において、ＣＰＵ４２はシャッター１７を開け、ＣＣＤボード７を通してハロゲンランプ４の点灯を確認し、ハロゲンランプ４の点灯が確認されない場合、初期化失敗とする。Ｓ２０７では赤外ＬＥＤ１２に関して同様の点灯チェックを行い、正常な場合Ｓ２１０に進み、初期化に失敗した場合、Ｓ２０９で光軸上のシャッター１７を閉じ、図示しないエラーＬＥＤを点滅させる。Ｓ２１０では待機処理としてシャッター１７を閉じ、ハロゲンランプ４を減光する。
【図面の簡単な説明】
【００３１】
【図１】本発明のシステムのブロック図
【図２】メインボードのブロック図
【図３】画像処理のブロック図
【図４】ＣＰＵの内部の処理を示すフローチャート
【図５】初期化処理のフローチャート
【符号の説明】
【００３２】
１  フィルムスキャナー
２  メインボード
３  ゴミキズ除去ボード
４  ハロゲンランプ
５  フィルム
６  レンズ
７  ＣＣＤボード
８  メインボード側のコネクタ
９  ゴミキズ除去ボード側のコネクタ
１０  電源ユニット
１１  ＡＣケーブル
１２  赤外ＬＥＤ
１３  モータ
１４  搬送ローラー
１５  ホストコンピュータ
１６  ＵＳＢケーブル
１７  シャッター
２０  制御用ＡＳＩＣ
２１  モータドライブ回路
２２  タイマー
２３  ランプ電圧制御回路
２４  モータコントローラ
２５  ＩＯ制御ポート
３０  コネクタ
３１  コネクタ
３２  可視シェーディング用ＳＲＡＭ
３３  色合わせ用ＳＲＡＭ
３４  ガンマテーブル用ＳＲＡＭ
３５  画像用ＡＳＩＣ
３６  ゴミキズ除去制御ユニット
３７  ＳＤＲＡＭ
３８  ＵＳＢコントローラ
３９  コネクタ
４０  ワーク用ＳＲＡＭ
４１  ＲＯＭ
４２  ＣＰＵ
４４  赤外シェーディング用ＳＲＡＭ
【図１】
2006303790.tif 000003
【図２】
2006303790.tif 000004
【図４】
2006303790.tif 000005
【図５】
2006303790.tif 000006
【図３】
2006303790.tif 000007